(57)【要約】【課題】  レバーノブをレバー本体から取り外す場合に光源が邪魔にならず容易に取り外すことができるシフトレバー装置の提供。【解決手段】  パイプ状のレバー本体２０と、レバー本体２０に着脱可能に取付けられるレバーノブ３０と、レバー本体２０の軸方向先端に設けられレバーノブ３０の少なくとも一部を照明する光源４０と、レバー本体２０の内側を通り光源４０に通じるハーネス５０とを、有し、光源４０がレバー本体２０の軸方向と直交する方向にレバー本体２０から突出する量はレバーノブ３０をレバー本体２０から取り外す場合に光源４０が邪魔しない程度とされている、シフトレバー装置１０。【選択図】        図１
2005145263.tif 000002
【特許請求の範囲】
【請求項１】
パイプ状のレバー本体と、
前記レバー本体に着脱可能に取付けられるレバーノブと、
前記レバー本体の軸方向先端に設けられ前記レバーノブの少なくとも一部を照明する光源と、
前記レバー本体の内側を通り前記光源に通じるハーネスと、
を有し、
前記光源が前記レバー本体の軸方向と直交する方向に該レバー本体から突出する量は、前記レバーノブを前記レバー本体から取り外す場合に光源が邪魔しない程度とされている、シフトレバー装置。
【請求項２】
パイプ状のレバー本体と、
前記レバー本体に着脱可能に取付けられるレバーノブと、
前記レバー本体の軸方向先端に設けられ前記レバーノブの少なくとも一部を照明する光源と、
前記レバー本体の内側を通り前記光源に通じるハーネスと、
を有し、
前記光源は、前記レバーノブを前記レバー本体から取り外す場合に前記レバーノブが通る移動軌跡から外れて設けられている、シフトレバー装置。
【請求項３】
パイプ状のレバー本体と、
前記レバー本体に着脱可能に取付けられるレバーノブと、
前記レバー本体の軸方向先端に設けられ前記レバーノブの少なくとも一部を照明する光源と、
前記レバー本体の内側を通り前記光源に通じるハーネスと、
を有し、
前記光源は、前記レバー本体の外径面の軸方向延長面の内側にある、シフトレバー装置。
【請求項４】
前記レバーノブは前記光源からの光を前記レバーノブの表面にまで導く光導体のノブオーナメントを備えている請求項１〜３記載のシフトレバー装置。
【発明の詳細な説明】
【技術分野】
【０００１】
本発明は、車両のシフトレバー装置に関する。
【背景技術】
【０００２】
従来のシフトレバー装置は、たとえば実用新案登録第３０３５２４３号公報に開示されている。
【０００３】
しかし、従来のシフトノブ装置には、つぎの問題がある。
光源がレバーノブに固定されているため、レバーノブを取り外す場合に、ハーネスを取り外し、レバーノブと光源を合わせてレバー本体から取り外すことになる。そのため、レバーノブをレバー本体から取り外す作業が煩わしい。
また、再度レバーノブをレバー本体に取付ける場合にもハーネスの配索作業が必要になる。
レバーノブを取り外す場合としては、（ｉ）レバー本体を車体から取り外す場合、（ｉｉ）ハウジングアッパーを交換する場合、（ｉｉｉ）光源を交換する場合、（ｉｖ）レバーノブを交換する場合、などが考えられる。
【特許文献１】実用新案登録第３０３５２４３号公報
【発明の開示】
【発明が解決しようとする課題】
【０００４】
本発明が解決しようとする問題点は、レバーノブをレバー本体から取り外す場合に、光源が邪魔になることである。
【０００５】
本発明の目的は、レバーノブをレバー本体から取り外す場合に光源が邪魔にならず容易に取り外すことができるシフトレバー装置を提供することにある。
【課題を解決するための手段】
【０００６】
上記目的を達成する本発明はつぎの通りである。
（１）  パイプ状のレバー本体と、
前記レバー本体に着脱可能に取付けられるレバーノブと、
前記レバー本体の軸方向先端に設けられ前記レバーノブの少なくとも一部を照明する光源と、
前記レバー本体の内側を通り前記光源に通じるハーネスと、
を有し、
前記光源が前記レバー本体の軸方向と直交する方向に該レバー本体から突出する量は、前記レバーノブを前記レバー本体から取り外す場合に光源が邪魔しない程度とされている、シフトレバー装置。
（２）  パイプ状のレバー本体と、
前記レバー本体に着脱可能に取付けられるレバーノブと、
前記レバー本体の軸方向先端に設けられ前記レバーノブの少なくとも一部を照明する光源と、
前記レバー本体の内側を通り前記光源に通じるハーネスと、
を有し、
前記光源は、前記レバーノブを前記レバー本体から取り外す場合に前記レバーノブが通る移動軌跡から外れて設けられている、シフトレバー装置。
（３）  パイプ状のレバー本体と、
前記レバー本体に着脱可能に取付けられるレバーノブと、
前記レバー本体の軸方向先端に設けられ前記レバーノブの少なくとも一部を照明する光源と、
前記レバー本体の内側を通り前記光源に通じるハーネスと、
を有し、
前記光源は、前記レバー本体の外径面の軸方向延長面の内側にある、シフトレバー装置。
（４）  前記レバーノブは前記光源からの光を前記レバーノブの表面にまで導く光導体のノブオーナメントを備えている（１）〜（３）記載のシフトレバー装置。
【発明の効果】
【０００７】
上記（１）のシフトレバー装置では、光源がレバー本体の軸方向と直交する方向にレバー本体から突出する量はレバーノブを前記レバー本体から取り外す場合に光源が邪魔しない程度とされているので、レバーノブをレバー本体から取り外す場合に光源が邪魔になることは無い。
【０００８】
上記（２）のシフトレバー装置では、光源はレバーノブが通る移動軌跡から外れて設けられているので、レバーノブをレバー本体から取り外す場合に光源が邪魔になることは無い。
【０００９】
上記（３）のシフトレバー装置では、光源がレバー本体の外径面の軸方向延長面の内側に設けられているので、レバーノブをレバー本体から取り外す場合に光源が邪魔になることはない。
【００１０】
上記（４）のシフトレバー装置では、レバーノブがノブオーナメントを備えているので、オーナメントの材料をアクリル樹脂製等にすることにより、オーナメント全体を光らせることができる。
【発明を実施するための最良の形態】
【００１１】
本発明実施例のシフトレバー装置を、図１、図２を参照して説明する。
【００１２】
本発明実施例のシフトレバー装置（以下、単にシフトレバー装置という）１０は、車両の内装部材であるインスツルメントパネル部位やコンソール部位に配置されていてもよく、車両のフロアに配置されていてもよい（図示例では、シフトレバー装置１０が車両のフロアに配置される場合を示している）。以下、本発明実施例では、シフトレバー装置１０が車両のフロアに配置される場合を例にとって説明する。
シフトレバー装置１０は、直線状の１本のシフトレバー通路からなるストレート式のシフトレバー装置であってもよく、ジグザグ形状の１本のシフトレバー通路からなるゲート式のシフトレバー装置であってもよく、複数本のシフトレバー通路を有しＭ位置、＋位置、−位置を有するシーケンシャルタイプのシフトレバー装置であってもよい。
【００１３】
本発明実施例のシフトレバー装置１０は、図１に示すように、パイプ状のレバー本体２０と、レバー本体２０に着脱可能に取付けられるレバーノブ３０と、レバー本体２０の軸方向先端に設けられレバーノブ３０の少なくとも一部を照明する光源４０と、レバー本体２０の内側を通り光源４０に通じるハーネス５０とを、有する。
レバー本体２０は、金属製である。レバー本体２０は、断面円形の中空パイプである。
【００１４】
レバーノブ３０は、レバー本体２０の上端部（軸方向先端部）とその近傍に着脱可能に取付けられている。レバーノブ３０は、（ａ）レバーノブ３０に弾性爪３３を設け、弾性爪３３をレバー本体２０またはレバー本体２０に組付けられる部材に引っ掛けることで、レバー本体２０に取付けられていてもよく、（ｂ）レバー本体２０に雄ネジ部を形成しレバーノブ３０をレバー本体２０にねじ込むことで、レバー本体２０に取付けられていてもよい。レバーノブ３０は、レバー本体２０の外側から取付けられる。レバーノブ３０は、ノブ基材３１と、ノブオーナメント３２を、備える。
【００１５】
ノブ基材３１は、樹脂製である。ノブ基材３１は、光透過性を有する樹脂製であってもよく、光不透過性の樹脂製であってもよい。ノブ基材３１は、レバー本体２０の外径面２１に沿ってレバー本体２０の軸方向（上下方向）に延びている。ノブ基材３１の上端部は、レバー本体２０の上端よりも上方に位置する。ノブ基材３１は、上端部に形成され上方かつレバー本体２０の軸芯から離れる方向に傾く傾斜面３１ａを有する。
【００１６】
ノブオーナメント（装飾部品）３２は、ノブ基材３１に固定して取付けられる。ノブオーナメント３２は、光源４０からの光をレバーノブ３０の表面にまで導くレンズとして働く。ノブオーナメント３２は、アクリル樹脂製などの光導体である。ノブオーナメント３２は、レバーノブ３０の上端部と、レバーノブ３０の少なくとも一側の側壁部とに、設けられている。ノブオーナメント３２がアクリル樹脂製などの光導体である場合、ノブオーナメント３２全体を光源４０からの光で光らせることができる。そのため、光源４０からの光をノブオーナメント３２でレバーノブ３０の側壁にまで回り込ませることができる。
【００１７】
ノブオーナメント３２の表面には、たとえば木目意匠層（フィルム）３２ａが設けられている。木目意匠層（フィルム）３２ａはインモールド成形で形成するのが望ましいが、柔軟性のある図示略の別シート（フィルム）をノブオーナメント３２の表面に貼り付けてもよい。木目意匠層３２ａまたは別シートは、その端が見えることを防止するために、端の部分を折り返して回り込ませてあることが望ましい。
なお、ノブオーナメント３２の表面を光不透過とし、絵文字形状に光不透過層を取り除きその部分だけを光るようにしてもよい。
【００１８】
光源４０は、バルブであってもよく、ＬＥＤであってもよい。光源４０は、レバー本体２０の軸方向先端（上端）に組付板４１を介して設けられている。光源４０は、組付板４１に固定して取付けられる。
組付板４１の下面は、レバー本体２０の上面に接触しており、組付板４１の上面は、ノブ基材３１に接触している。組付板４１は、レバー本体２０とノブ基材３１により上下方向に挟み込まれている。光源４０は、レバーノブ３０に直接固定されることはない。
光源４０を組付板４１に取付け、組付板４１をレバー本体２０側に仮保持した上で、レバー本体２０とレバーノブ３０とで組付板４１を挟み込むことで光源４０を固定する。これにより、光源４０を確実に固定する手段を特別に設ける必要がなくなり、レバー本体２０とレバーノブ３０とが確実に固定されれば自ずと光源４０もがたつきなく固定される。
【００１９】
光源４０が、レバー本体２０の軸方向と直交する方向にレバー本体２０から突出する量は、レバーノブ３０をレバー本体２０から取り外す場合に光源４０が邪魔しない程度とされている。光源４０は、レバーノブ３０をレバー本体２０から取り外す場合にレバーノブ３０が通る移動軌跡から外れて設けられている。光源４０は、レバー本体２０の外径面２１の軸方向延長面の内側にある。光源４０がレバー本体２０断面から突出する量は、レバーノブ３０をレバー本体２０から取り外す場合に光源４０が邪魔しない程度とされている。
【００２０】
ハーネス５０は、レバー本体２０の上端部からレバー本体２０内に挿入され、レバー本体２０の内側を通る。
【００２１】
本発明実施例の作用、効果を説明する。
光源４０がレバー本体２０の軸方向と直交する方向にレバー本体２０から突出する量はレバーノブ３０をレバー本体２０から取り外す場合に光源４０が邪魔しない程度とされているので、レバーノブ３０をレバー本体２０から取り外す場合に光源４０が邪魔になることは無い。また、光源４０はレバーノブ３０が通る移動軌跡から外れて設けられているので、レバーノブ３０をレバー本体２０から取り外す場合に光源４０が邪魔になることは無い。また、光源４０がレバー本体２０の外径面２１の軸方向延長面の内側に設けられているので、レバーノブ３０をレバー本体２０から取り外す場合に光源４０が邪魔になることはない。
その結果、レバーノブ３０をレバー本体２０から取り外す場合に、ハーネス５０と光源４０を取り外すことなく、レバーノブ３０をレバー本体２０から取り外すことができ、取り外し作業が従来に比べて容易である。また、再度レバーノブ３０をレバー本体２０に取付ける場合にもハーネス５０の配索作業が不要である。
【００２２】
光源４０が組付板４１に固定して取付けられており、組付板４１がレバー本体２０とノブ基材３１とにより挟み込まれているので、（ａ）光源４０がレバー本体２０とレバーノブ３０に対して位置ずれすることを防止できる。また、光源４０のレバー本体２０およびレバーノブ３０に対する位置決めが容易に行われる。
【００２３】
ハーネス５０がレバー本体２０の内側を通るので、レバーノブ３０にハーネス５０挿通用のスペースを確保したり、レバー本体２０の外径面２１にハーネス５０を這わせる形状を形成する必要はない。また、ハーネス５０がレバー本体２０の内側を通るので、レバーノブ３０をレバー本体２０にねじ込んで取付ける場合でも、ハーネス５０がねじれたりすることはない。
【図面の簡単な説明】
【００２４】
【図１】本発明実施例のシフトレバー装置の断面図である
【図２】本発明実施例のシフトレバー装置の、図１と直交する方向から見た断面図である。
【符号の説明】
【００２５】
１０  シフトレバー装置
２０  レバー本体
２１  レバー本体の外径面
３０  レバーノブ
３１  ノブ基材
３２  ノブオーナメント
３２ａ  木目意匠層
４０  光源
４１  組付板
５０  ハーネス
【図１】
2005145263.tif 000003
【図２】
2005145263.tif 000004